(57)【特許請求の範囲】
【請求項１】
複数色の画像を形成するカラー画像形成装置において、
画像データに基づく発光を行う各色に対応する潜像装置と、
前記潜像装置からの発光によって静電潜像が書き込まれる各色に対応する感光体と、
前記各色に対応する潜像装置のうち一の潜像装置の一端側と前記各色に対応する感光体のうち一の感光体の一端側とを相互に位置決めし、かつ本体から着脱自在な側板とを備えており、
前記本体から前記側板を取り外すことにより、前記潜像装置または前記感光体の少なくとも一方を前記本体から取り外し可能となる
ことを特徴とするカラー画像形成装置。
【請求項２】
複数色の画像を形成するカラー画像形成装置において、
画像データに基づく発光を行う各色に対応する潜像装置と、
前記各色に対応する潜像装置が取り付けられる配置部材と、
前記潜像装置からの発光によって静電潜像が書き込まれる各色に対応する感光体と、
前記配置部材の一端側と前記感光体の一端側とを相互に位置決めし、かつ本体から着脱自在な側板とを備えており、
前記本体から前記側板を取り外すことにより、前記潜像装置または前記感光体の少なくとも一方を前記本体から取り外し可能となる
ことを特徴とするカラー画像形成装置。
【請求項３】
複数色の画像を形成するカラー画像形成装置において、
画像データに基づく発光を行う各色に対応する潜像装置と、
前記各色に対応する潜像装置の一端側を載置するアングルと、
前記潜像装置からの発光によって静電潜像が書き込まれる各色に対応する感光体と、
前記アングルと前記感光体の一端側とを相互に位置決めし、かつ本体から着脱自在な側板とを備えており、
前記本体から前記側板を取り外すことにより、前記潜像装置または前記感光体の少なくとも一方を前記本体から取り外し可能となる
ことを特徴とするカラー画像形成装置。
【請求項４】
複数色の画像を形成するカラー画像形成装置において、
画像データに基づく発光を行う各色に対応する潜像装置と、
前記潜像装置からの発光によって静電潜像が書き込まれる各色に対応する感光体と、
前記各色に対応する潜像装置のうち一の潜像装置の一端側と前記各色に対応する感光体のうち一の感光体の一端側とを相互に位置決めし、かつ本体から着脱自在な側板とを備えており、
前記本体から前記側板を取り外すことにより、前記潜像装置または前記感光体の少なくとも一方が前記本体から引き出される
ことを特徴とするカラー画像形成装置。
【請求項５】
複数色の画像を形成するカラー画像形成装置において、
画像データに基づく発光を行う各色に対応する潜像装置と、
前記各色に対応する潜像装置が取り付けられる配置部材と、
前記潜像装置からの発光によって静電潜像が書き込まれる各色に対応する感光体と、
前記配置部材の一端側と前記感光体の一端側とを相互に位置決めし、かつ本体から着脱自在な側板とを備えており、
前記本体から前記側板を取り外すことにより、前記潜像装置または前記感光体の少なくとも一方が前記本体から引き出される
ことを特徴とするカラー画像形成装置。
【請求項６】
複数色の画像を形成するカラー画像形成装置において、
画像データに基づく発光を行う各色に対応する潜像装置と、
前記各色に対応する潜像装置の一端側を載置するアングルと、
前記潜像装置からの発光によって静電潜像が書き込まれる各色に対応する感光体と、
前記アングルと前記感光体の一端側とを相互に位置決めし、かつ本体から着脱自在な側板とを備えており、
前記本体から前記側板を取り外すことにより、前記潜像装置または前記感光体の少なくとも一方が前記本体から引き出される
ことを特徴とするカラー画像形成装置。
【発明の詳細な説明】
【０００１】
【発明の属する技術分野】
本発明は、潜像装置から感光体上に静電潜像を書き込んで画像を所定の媒体へ記録する画像形成装置に関する。
【０００２】
【従来の技術】
図１６は従来の画像形成装置を説明する概略断面図である。この画像形成装置においては、本体筐体１に側板４’を介して感光体３が取り付けられ、また、本体筐体１に配置部材２ａを介して潜像装置２が取り付けられた構成となっている。
【０００３】
感光体３の軸３ａはベアリングＢを介して側板４’に挿入されており、感光体３を回転可能としている。また、側板４’は位置決めピンＰ１を介して本体筐体１から着脱自在に取り付けられている。また、潜像装置２を支持する配置部材２ａは、位置決めピンＰ２によって本体筐体１に取り付けられている。
【０００４】
【発明が解決しようとする課題】
しかしながら、このような画像形成装置には次のような問題がある。すなわち、この画像形成装置では、潜像装置を保持部材を介して本体筐体に取り付け、感光体を側板を介して本体筐体に取り付けていることから、潜像装置と感光体との距離の公差は、潜像装置−本体筐体−側板−感光体（軸）の各々の間で累積してしまい、製造装置と感光体とを精度よく位置決めするのが困難となっている。これによって、特にカラー画像形成装置においては、いわゆる色ずれが発生し、良好な画像を得ることが困難となっている。
【０００５】
例えば、側板を位置決めピンから外して感光体を本体筐体から抜き差しした際には、その装着状態によって潜像装置と感光体との位置関係に微妙なずれが生じてしまい、画質の劣化を招く原因となっている。
【０００６】
さらに、潜像装置と感光体との間が上記のごとく多数の部品を介して位置決めされていることから、潜像装置と感光体との間の強固な締結が得られず、相互に伝達する振動により画質の劣化を招くという問題が生じている。
【０００７】
また、特開昭６４−７０７７４号公報では、複数の光学系を同一の支持部材に固定する画像形成装置が開示されているが、潜像装置と感光体との間の高精度の位置決めや、強固な締結を得るものではなく、いわゆる色ずれや振動による画質の劣化を招いている。
【０００８】
また、特開平６−２４２６４３号公報では、上下分割型の画像形成装置において潜像装置と感光体軸との位置決めを行う構成が開示されているが、上下分割型ではなく、感光体を水平方向へ引き出す画像形成装置には適用できないという問題がある。
【０００９】
【課題を解決するための手段】
本発明はこのような課題を解決するために成されたカラー画像形成装置である。すなわち、本発明は、複数色の画像を形成するカラー画像形成装置において、画像データに基づく発光を行う各色に対応する潜像装置と、潜像装置からの発光によって静電潜像が書き込まれる各色に対応する感光体と、各色に対応する潜像装置のうち一の潜像装置の一端側と各色に対応する感光体のうち一の感光体の一端側とを相互に位置決めし、かつ本体から着脱自在な側板とを備えている。
【００１０】
また、複数色の画像を形成するカラー画像形成装置において、画像データに基づく発光を行う各色に対応する潜像装置と、各色に対応する潜像装置が取り付けられる配置部材と、潜像装置からの発光によって静電潜像が書き込まれる各色に対応する感光体と、配置部材の一端側と前記感光体の一端側とを相互に位置決めし、かつ本体から着脱自在な側板とを備えるものである。
【００１１】
また、複数色の画像を形成するカラー画像形成装置において、画像データに基づく発光を行う各色に対応する潜像装置と、各色に対応する潜像装置の一端側を載置するアングルと、潜像装置からの発光によって静電潜像が書き込まれる各色に対応する感光体と、アングルと感光体の一端側とを相互に位置決めし、かつ本体から着脱自在な側板とを備えるものである。
【００１２】
本発明では、潜像装置または潜像装置を取り付ける保持部材と感光体とを側板によって一体的に取り付けることによって、潜像装置と感光体との位置関係を正確に固定することができ、しかも潜像装置と感光体との間を強固に締結できるようになる。
【００１３】
また、側板を着脱自在にすることで、側板が装着されている場合には潜像装置と感光体との間の位置関係を固定し、側板が取り外された場合には感光体を容易に本体から外側へ抜き出すことができるようになる。
【００１４】
【発明の実施の形態】
以下に、本発明の画像形成装置における実施の形態を図に基づいて説明する。図１は本発明の第１実施形態における画像形成装置を説明する概略断面図（その１）、図２は第１実施形態における画像形成装置を説明する概略断面図（その２）である。
【００１５】
すなわち、第１実施形態の画像形成装置は、画像データに基づくレーザ光等の発光を行う潜像装置２と、潜像装置２からの発光によって静電潜像が書き込まれる感光体３と、潜像装置２の一端側２１および感光体３の軸３ａの一端側３１を一体的に取り付ける本体筐体１と、本体筐体１と略平行に配置され、潜像装置２の他端側２２と感光体３の軸３ａの他端側３２とを一体的に取り付ける一体側板４とを備えている。
【００１６】
第１実施形態では、潜像装置２の一端側２１が本体筐体１に位置決めピンＰを介して取り付けられ、潜像装置２の他端側２２が本体筐体１および一体側板４に位置決めピンＰを介して取り付けられている。また、感光体３の軸３ａは本体筐体１および一体側板４にベアリングＢを介して取り付けられ、感光体３を回転可能としている。
【００１７】
このように、潜像装置２および感光体３が本体筐体１および一体側板４によって一体的に固定されることで、潜像装置２と感光体３との位置関係を正確に固定することができ、潜像装置２から感光体３上の的確な位置へ静電潜像を書き込むことができるようになる。
【００１８】
また、この一体側板４は着脱自在に取り付けられている。すなわち、図２に示すように、一体側板４を図中矢印の方向へ引き出すことによって潜像装置２の位置決めピンＰおよび感光体３の軸３ａから取り外すことができる。一体側板４が取り外されることで感光体３の軸３ａからベアリングＢが外れ、感光体３を軸３ａから容易に外すことができるようになる。
【００１９】
図３は第１実施形態を説明する概略斜視図であり、（ａ）は一体側板を装着した状態、（ｂ）は一体側板を取り外した状態を示している。また、図４は一体側板の装着状態を説明する概略断面図、図５は一体側板の取り外し状態を説明する概略断面図である。
【００２０】
実際には図４に示すように、感光体３を支持部材３ｂによって支持しており、一体側板４を潜像装置２および感光体３から取り外すことによって、図５に示すように支持部材３ｂが感光体３とともに引き出される状態となる。これによって、図３（ａ）に示す装着状態から、図３（ｂ）に示すような引き出した状態へ移行できるようになる。
【００２１】
つまり、図３（ａ）に示す装着状態では、一体側板４が位置決めピンＰに挿入され、潜像装置２と感光体３との位置関係を強固に締結している。一方、図３（ｂ）に示す取り外し状態では、一体側板４を位置決めピンＰから抜き出すことで潜像装置２と感光体３とが一体的に引き出されることになる。一体側板４を抜き出した際にはレールＲによって保持され、本体筐体１から手前に略水平に引き出すことができるようになる。
【００２２】
図６はカラー複写機の模式構成図である。このカラー複写機ではＣ（シアン）、Ｍ（マゼンタ）Ｙ（黄）、Ｋ（黒）の４色の画像を順次用紙へ形成するものであり、所定サイズの用紙を収納するトレーＴ１、Ｔ２、Ｔ３と、各色に対応する４つの潜像装置２および感光体３と、これらの各潜像装置２および感光体３を本体筐体１へ一体的に取り付ける４つの一体側板４と、用紙に形成された各色の画像を定着させる定着装置５とを備えている。
【００２３】
図７は、図６に示すカラー複写機における画像形成部分（潜像装置および感光体）の拡大構成図である。すなわち、潜像装置２は画像データに基づいてレーザ光の発光および走査を行う。潜像装置２から出射されたレーザ光はミラーＭ１〜Ｍ３で反射して感光体３上に照射される。感光体３はベアリングＢによって軸３ａを中心として回転し、その表面に照射されるレーザ光に基づいた静電潜像が形成される。
【００２４】
この潜像装置２と感光体３とが一体側板４によって一体的に固定されていることによって潜像装置２と感光体３との位置関係が正確に決まり、潜像装置２から出射されミラーＭ１〜Ｍ３によって反射されるレーザ光が感光体３の所定位置に正確に照射されることになる。
【００２５】
次に、本発明の画像形成装置における第２実施形態を説明する。図８は第２実施形態を説明する概略断面図（その１）、図９は第２実施形態を説明する概略断面図（その２）である。
【００２６】
第２実施形態における画像形成装置は、配置部材２ａに取り付けられた潜像装置２と、感光体３と、配置部材２ａの一端側２１ａおよび感光体３の軸３ａの一端側３１を一体的に取り付ける本体筐体１と、配置部材２ａの他端側２２ａおよび感光体３の軸３ａの他端側３２を一体的に取り付ける一体側板４とを備えている。
【００２７】
潜像装置２は配置部材２ａの上部に固定されており、配置部材２ａを本体筐体１および一体側板４の間に配置した状態で感光体３との間に位置関係が正確に設定されるようになっている。また、感光体３の軸３ａは本体筐体１および一体側板４にベアリングＢを介して取り付けられており、感光体３を回転可能としている。
【００２８】
このように、潜像装置２が配置部材２ａに取り付けられているタイプであっても、その配置部材２ａおよび感光体３を本体筐体１および一体側板４で一体的に固定することで、潜像装置２と感光体３との位置関係を正確に固定することができ、潜像装置２から感光体３上の的確な位置へ静電潜像を書き込むことができるようになる。
【００２９】
また、この一体側板４は着脱自在に取り付けられている。すなわち、図９に示すように、一体側板４を図中矢印の方向へ引き出すことによって配置部材２ａの位置決めピンＰおよび感光体３の軸３ａから取り外すことができる。一体側板４が取り外されることで感光体３の軸３ａからベアリングＢが外れ、感光体３を軸３ａから容易に外すことができるようになる。
【００３０】
なお、第２実施形態においても、図４に示す第１実施形態と同様に、感光体３を支持する支持部材３ｂが取り付けられており、一体側板４を取り外すことで引き出される支持部材３ｂとともに感光体３を引き出すことができるようになっている。
【００３１】
次に、本発明の画像形成装置における第３実施形態を説明する。図１０は第３実施形態を説明する概略断面図（その１）、図１１は第３実施形態を説明する概略断面図（その２）である。
【００３２】
第３実施形態における画像形成装置は、潜像装置２を載置するアングル２ｃと、感光体３と、このアングル２ｃの一方および感光体３の軸３ａの一端側３１を一体的に取り付ける本体筐体１と、アングル２ｃの他方および感光体３の軸３ａの他端側３２を一体的に取り付ける一体側板４とを備えている。
【００３３】
潜像装置２は位置決めピンＰ’を略Ｌ字型の２つのアングル２ｃに挿入する状態で載置されている。また、この２つのアングル２ｃは各々本体筐体１に固定されている。
【００３４】
一体側板４は、アングル２ｃに設けられた位置決めピンＰに挿入されるとともに感光体３の軸３ａにベアリングＢを介して挿入される。これによって潜像装置２と感光体３との位置関係を正確に固定できるようになっている。
【００３５】
また、この一体側板４は着脱自在に取り付けられている。すなわち、図１１に示すように、一体側板４を図中矢印の方向へ引き出すことによってアングル２ｃの位置決めピンＰおよび感光体３の軸３ａから取り外すことができる。一体側板４が取り外されることで感光体３の軸３ａからベアリングＢが外れ、感光体３を軸３ａから容易に外すことができるようになる。
【００３６】
なお、第３実施形態においても、図４に示す第１実施形態と同様に、感光体３を支持する支持部材３ｂが取り付けられており、一体側板４を取り外すことで引き出される支持部材３ｂとともに感光体３を引き出すことができるようになっている。
【００３７】
次に、本発明の画像形成装置における第４実施形態を説明する。図１２は第３実施形態を説明する概略断面図（その１）、図１３は第３実施形態を説明する概略断面図（その２）である。
【００３８】
第４実施形態における画像形成装置は、潜像装置２と、感光体３と、この潜像装置２の一端側２１および感光体３の軸３ａの一端側３１を一体的に取り付ける本体筐体１と、潜像装置２の他端側２２および感光体３の軸３ａの他端側３２を一体的に取り付ける一体側板４とを備えている。特に第４実施形態では、潜像装置２の他端側２２において位置決めピンＰを介して直接一体側板４が取り付けられている点に特徴がある。
【００３９】
一体側板４は、潜像装置２の他端側２２に設けられた位置決めピンＰに挿入されるとともに感光体３の軸３ａにベアリングＢを介して挿入される。これによって潜像装置２と感光体３との位置関係を正確に固定できるようになっている。
【００４０】
また、一体側板４は着脱自在に取り付けられている。すなわち、図１３に示すように、一体側板４を図中矢印の方向へ引き出すことによって位置決めピンＰおよび感光体３の軸３ａから取り外すことができる。一体側板４が取り外されることで感光体３の軸３ａからベアリングＢが外れ、感光体３を軸３ａから容易に外すことができるようになる。さらに、この一体側板４が取り外されることで潜像装置２も容易に外すことができるようになる。
【００４１】
次に、本発明の画像形成装置における第５実施形態を説明する。図１４は第５実施形態を説明する概略断面図（その１）、図１５は第５実施形態を説明する概略断面図（その２）である。
【００４２】
第２実施形態における画像形成装置は、配置部材２ａに取り付けられた潜像装置２と、感光体３と、配置部材２ａの一端側２１ａおよび感光体３の軸３ａの一端側３１を一体的に取り付ける本体筐体１と、配置部材２ａの他端側２２ａおよび感光体３の軸３ａの他端側３２を一体的に取り付ける一体側板４とを備えている。特に第５実施形態では、配置部材２ａの他端側２２ａにおいて位置決めピンＰを介して直接一体側板４が取り付けられている点に特徴がある。
【００４３】
潜像装置２は配置部材２ａの上部に固定されており、配置部材２ａを本体筐体１および一体側板４の間に配置した状態で感光体３との間に位置関係が正確に設定されるようになっている。また、感光体３の軸３ａは本体筐体１および一体側板４にベアリングＢを介して取り付けられており、感光体３を回転可能としている。
【００４４】
このように、潜像装置２が配置部材２ａに取り付けられているタイプであっても、その配置部材２ａおよび感光体３を本体筐体１および一体側板４で一体的に固定することで、潜像装置２と感光体３との位置関係を正確に固定することができ、潜像装置２から感光体３上の的確な位置へ静電潜像を書き込むことができるようになる。
【００４５】
また、この一体側板４は着脱自在に取り付けられている。すなわち、図１５に示すように、一体側板４を図中矢印の方向へ引き出すことによって一体側側板４を感光体３の軸３ａから取り外すことができる。この一体側板４を外すことで配置部材２ａにおける一端側２１ａの位置決めピンＰが本体筐体１から外れる。また、感光体３の軸３ａからベアリングＢが外れ、感光体３を軸３ａから容易に外すことができるようになる。さらに、この一体側板４とともに潜像装置２も容易に外すことができるようになる。
【００４６】
【発明の効果】
以上説明したように、本発明の画像形成装置によれば次のような効果がある。すなわち、潜像装置と感光体とを精度良く位置決めすることができ、良好な画質の画像を形成することが可能となる。また、側板によって潜像装置と感光体との強固な締結を得ることができ、潜像装置と感光体との振動における伝達関数を改善でき良好な画像を得ることが可能となる。
【００４７】
さらに、側板を取り外すことで容易に感光体や潜像装置を本体から外部へ取り出すことができ、メインテナンス性を向上させることが可能となる。
【図面の簡単な説明】
【図１】第１実施形態を説明する概略断面図（その１）である。
【図２】第１実施形態を説明する概略断面図（その２）である。
【図３】第１実施形態を説明する概略斜視図である。
【図４】側板の装着状態を説明する概略断面図である。
【図５】側板の取り外し状態を説明する概略断面図である。
【図６】カラー複写機の模式構成図である。
【図７】画像形成部分の拡大構成図である。
【図８】第２実施形態を説明する概略断面図（その１）である。
【図９】第２実施形態を説明する概略断面図（その２）である。
【図１０】第３実施形態を説明する概略断面図（その１）である。
【図１１】第３実施形態を説明する概略断面図（その２）である。
【図１２】第４実施形態を説明する概略断面図（その１）である。
【図１３】第４実施形態を説明する概略断面図（その２）である。
【図１４】第５実施形態を説明する概略断面図（その１）である。
【図１５】第５実施形態を説明する概略断面図（その２）である。
【図１６】従来例を説明する概略断面図である。
【符号の説明】
１  本体筐体
２  潜像装置
２ａ  配置部材
３  感光体
３ａ  軸
４  一体側板
Ｂ  ベアリング
【図１】
0003572845.tif 000002
【図２】
0003572845.tif 000003
【図３】
0003572845.tif 000004
【図４】
0003572845.tif 000005
【図５】
0003572845.tif 000006
【図６】
0003572845.tif 000007
【図７】
0003572845.tif 000008
【図８】
0003572845.tif 000009
【図９】
0003572845.tif 000010
【図１０】
0003572845.tif 000011
【図１１】
0003572845.tif 000012
【図１２】
0003572845.tif 000013
【図１３】
0003572845.tif 000014
【図１４】
0003572845.tif 000015
【図１５】
0003572845.tif 000016
【図１６】
0003572845.tif 000017